(57)【要約】【目的】従来のように首の後で小さな突起を爪で動かしたり、或いはストッパーの突起を溝に係合させたりするような作業をしなくても、容易かつ確実に連結することができる装身具類の連結具の提供。【構成】鎖状乃至紐状状その他の細長い線状部材１２の両端等に取り付け、線状部材１２を環状にする目的等に適用され、相互に嵌合、分離可能な雄部品１１と雌部品２１とから成り、雄部品１１を雌部品に嵌合口２４から差し込むと、磁気吸着により雄部品１１と雌部品２１との位置関係に変化を生じて、その結果雌部品２１の嵌合口２４を雄部品１１が通過できない。【選択図】        図１
2004358067.tif 000002
【特許請求の範囲】
【請求項１】
鎖状乃至紐状その他の細長い線状部材の両端等に取り付け、線状部材を環状にする目的等に適用される連結具の一種であって、相互に嵌合、分離可能な雄部品と雌部品とから成り、雄部品を雌部品に嵌合口から差し込むと、磁気吸着により雄部品と雌部品との位置関係に変化を生じて、その結果雌部品の嵌合口を雄部品が通過できない状態となるように構成された装身具類の連結具。
【請求項２】
雄部品と雌部品との間に磁気吸着を生じさせるために、磁石が雄部品と雌部品の夫々に組み込まれている請求項１記載の装身具類の連結具。
【請求項３】
雄部品は、雌部品の嵌合口を通る頭部と、嵌合中雌部品の嵌合口に位置して雄部品の相対的な回転を可能にする頸部とを有しており、頭部は嵌合口を通過できる形態を有するとともに、嵌合口を通過した後で磁気吸着作用により位置関係が変化することにより嵌合口を抜け出せない位置関係を取る形態を有している請求項１又は請求項２記載の装身具類の連結具。
【請求項４】
雌部品は、雄部品を通す嵌合口よりも内方に、雄部品の頭部を回転可能にする空所を有している請求項１乃至３のいずれかに記載の装身具類の連結具。
【発明の詳細な説明】
【０００１】
【発明の属する技術分野】
本発明は、鎖状乃至紐状その他の細長い線状部材の両端等に取り付け、線状部材を環状にする目的等に適用される装身具類の連結具に関するものである。
【０００２】
【従来の技術】
例えばネックレスなどに使用されている、従来の連結具は、一般的には、引輪と称される一部がばねによって開閉可能なリングと、リングに引っ掛けられる穴明き板とから成るものであった。同種の構造を持つ考案には登録実用新案公報第３０２１５６２号にもクラスプとして記載されているものがある。しかしこのタイプの留め金は構造的に精度を出しにくく、また強度を高めることもしにくいので動きが悪くなったり、ばねがきかなくなったりするなど不具合が多い。また小さな突起を爪で引っ掛けてリングを開く作業を首の後で行なう必要があるため、取り扱いもしやすいとは言えない。
【０００３】
これに対し特開平５−２６９０１０号では、磁石を内蔵した接続金具の雄型を接続金具の雌型の中に挿入する電子クラスプと称する発明を公開している。同発明の場合、磁力と接続金具のストッパーとにより雄型接続金具は雌型接続金具と接続されることになるが、磁力は雄型接続金具と雌型接続金具とを磁気的に吸着させるだけで、引張るととれてしまうので、さらにストッパーと呼ぶ突起を溝に係合させなければ有効な接続は行なえない。
【０００４】
【発明が解決しようとする課題】
本発明は前記の点に着目してなされたもので、その課題は、従来のように首の後で小さな突起を爪で動かしたり、或いはストッパーの突起を溝に係合させたりするような作業をしなくても、容易かつ確実に連結を行えるようにすることである。また本発明の他の課題は、磁力により自動的に雄部品と雌部品とが嵌合し、有効な接続状態となる装身具の連結具を提供することである。
【０００５】
【課題を解決するための手段】
前記の課題を解決するため本発明は、装身具類を鎖状乃至紐状その他の細長い線状部材の両端等に取り付け、線状部材を環状にする目的等に適用される連結具の一種として、相互に嵌合、分離可能な雄部品と雌部品とから成り、雄部品を雌部品に嵌合口から差し込むと、磁気吸着により雄部品と雌部品との位置関係に変化を生じて、その結果雌部品の嵌合口を雄部品が通過できない状態となるように構成するという手段を講じたものである。
【０００６】
本発明は装身具類の連結具に関するものであるが、上記の線状部材は、例えばネックレス等の装身具類や或いは装身具類を構成する宝飾品を貫いている紐状のものに該当する。従って線状部材の両端等に取り付けると、本発明の連結具により線状部材を環状にすることができる。
【０００７】
この連結具は、相互に嵌合可能かつ分離可能な雄部品と雌部品とから成り、雄部品を雌部品にその嵌合口から嵌め込むと、雄部品と雌部品とは磁気吸着により吸引し合う状態となり、嵌合口から雄部品を嵌め込むことが可能な位置から、吸引によって定まる位置関係に移動を生じる。つまり雄部品は雌部品の嵌合口へ嵌め込んだ位置から動く（移動する或いは回転する）ことによって、その結果、雌部品の嵌合口を雄部品が通過できない位置に変化する。この間の雄部品の動き（移動或いは回転）は、磁気吸着作用によって自動的に行われ、従って使用者に求められるのは雄部品を雌部品の嵌合口に嵌め込むことだけである。また嵌合状態にある連結具を分離する場合、雄部品を動かして嵌合口を抜け出る位置を探すだけで良いから、手探りでも全く容易な作業である。
【０００８】
雄部品と雌部品とを磁気吸着させるためには幾つかの方法を適用することが可能である。この方法は主として、雄部品と雌部品に磁石を組み込む方法と、雄部品と雌部品の目的箇所を所望の磁性に磁化する方法とに分かれるが、どちらも適用可能である。
【０００９】
より具体的な構成を考慮すると、雄部品は、雌部品の嵌合口を通る頭部と、嵌合中雌部品の嵌合口に位置して雄部品の相対的な回転を可能にする頸部とを有していることが望ましい。頭部は嵌合口を通過できる形態を有するとともに、嵌合口を通過した後で磁気吸着作用により位置関係が変化することにより嵌合口を抜け出せない位置関係を取る形態を有している。
【００１０】
また雌部品は、雄部品を通す嵌合口によりも内方に雄部品の頭部を回転可能にする空所を有する必要がある。空所は雄部品の回転を可能にすれば良いので、形態に制約はない。雄部品を雌部品に嵌合させるという構成上、嵌合させた後に磁気吸着作用を生じるように磁石を配置することが望ましく、嵌合後に雄部品と雌部品が直接接触するかどうかは問わない。
【００１１】
【発明の実施の形態】
以下図示の実施の形態に基いて本発明をより詳細に説明する。図１に本発明に係る装身具類の連結具１０の雄部品１１及びそれに組み合わされる雌部品２１が示されている。
【００１２】
雄部品１１は、図１（ａ）、（ｂ）に示されており、図５に示されている線状部材１２との接続部１３を一端に設けた基部１４を有し、接続部１３とは反対側の面に頸部１５が設けられ、その外側に頭部１６が設けられている。例示のものの基部１４は円形、頸部１５は基部１４よりも小形の円形、また頭部１６は長円形で、長径は基部径よりも小さく頸部径よりも大きく、短径は頸部径と同寸に設定されている。
【００１３】
頭部１６の外方の端面には凹部１７が設けられていてそこに磁石１８が組み込まれている。磁石１８はＮＳ両極があらわれるように、２個を長円形頭部１６の長手方向に並列している。このＮＳ極方向は頭部１６の長円形の長軸方向と一致している。
【００１４】
雌部品２１は、図１（ｃ）、（ｄ）に示されており、これも線状部材１２との接続部２２を一端に設けた基部２３を有し、接続部２２とは反対側の方に、雄部品１１の頭部１６を嵌めこむ嵌合口２４を有する。嵌合口２４の内部には、上記の頭部１６が収まる空所２５として、嵌合口２４だけで外に通じた空間が設けられている。空所２５の奥には、雄部品１１の磁石１８と向き合うように相手磁石２６を凹部２７に組み込むことによって設けている。この相手磁石２６のＮＳ極方向は、嵌合口２４を構成している長円形の長軸方向とは９０度異なっている。
【００１５】
従って、雄部品１１を図１（ｂ）に示した横長状態から縦長状態にして、図１（ｃ）に示した状態にある雌部品２１の縦長の嵌合口２４に嵌め込み、頭部１５が嵌合口２４の位置にある状態で雄部品１１を離すと、雄部品１１と雌部品２１のＮＳ両極間で磁気吸引作用により、自動的に、雄部品１１の頭部１６は雌部品２１の空所２５内で９０度回転する（図１（ｅ））。その結果、雄部品１１の頭部１６は嵌合口２４の位置から９０度ずれて嵌合口壁２８の下に来るので、最早や頭部１６は嵌合口２４を通過することができない。さらに頭部１６を９０度回転させ嵌合口２４を通過できるようにして、引っ張れば簡単に取り外すことができる。なお頭部１６及び嵌合口２４の縁には着脱容易のため面取り部１９、２９が設けられる。
【００１６】
図２は、両端にＮＳ両極を有する磁石３５を１個、雄部品３１の頭部３３の外方の端面に設けた凹部３７に組み込んだもので、雌部品３２の方の相手磁石３６も同様の磁石を１個、凹部３８に組みこんでいる。頭部３３と磁石３５、嵌合口３４と相手磁石３６の位置関係及び嵌合口３４に収まる頭部３９は前記例１と同様である。この例２の場合、雄部品３１及び雌部品３５は接続部１３′、２２′として接続環を有している。
【００１７】
例２の場合も、取り扱い方法は例１の場合と全く同じであり、雄部品３１の頭部３３を雌部品３２の嵌合口３４に合わせて嵌め込み、指を離すことで磁気吸引作用により頭部３３が空所３０内で回転し、自動的に連結が完成する。また取り外しの際は嵌合口３４を通過できる位置を探って頭部３３を動かし、引っ張れば良い。
【００１８】
図３は、頭部の形状をこれまでの長円形から４角形にしたもので、雄部品４１と雌部品４２の基本的構成は、前２例と同様である。４角形は正方形であるため、頭部４３を嵌合口壁に係合させるための角度として９０度を利用することができず、４５度が適当である。そこで磁石４５を雄部品４１に４個使用するとともに、頭部に９０度毎に嵌め込み、雌部品４２の側には相手磁石４６を雄部品４１のそれの配置に対して４５度ずつずらせて配置している（図３（ｂ）及び（ｃ）参照）。
【００１９】
よって例３の場合は、雄部品４１と雌部品４２との間で生じる相対的な回転の角度が４５度であるので詳細な説明は省略するが、着脱ともに非常にスムーズなものとなる。例３も例２、例１と同じく雄部品４１の頭部４３に磁石４５を設け、雌部品４２の空所４０の内奥に相手磁石４６を設けている。
【００２０】
これに対して図４は、雄部品５１の基部５３に磁石５５を設け、雌部品５２の嵌合壁５４正面に相手磁石５６を設けたものである。雄部品５１の頭部５７、雌部品５２の嵌合口５８の嵌合位置関係は例１及び例２と同じである。故に、頭部５７の向きと嵌合口５８の向きを合わせて頭部５７を空所５０内に嵌め込むことにより、嵌合口５８に位置している頸部５９を中心に磁気吸引作用により回転を自動的に生じ、頭部５７が嵌合口５８から脱し得ない状態となるほか、頭部５７の向きを探って嵌合口５８の向きに合わせ、引っ張ると簡単に取り外すことができる。
【００２１】
【発明の効果】
本発明は以上の如く構成されかつ作用するものであるから、雄部品と雌部品とが頭部を嵌合口に嵌合することにより磁気吸着作用で自動的に分離できない状態となるので、従来のように首の後で小さな突起をつめで動かしたり、或いはストッパーの突起を溝に係合させたりするような作業をしなくても、容易かつ確実に連結が可能となるので、非常に操作性が良く、かつ引っ張りに耐える限界も高
く、シンプルな構造のため製造が容易である等顕著な効果を奏する。
【図面の簡単な説明】
【図１】（ａ）本発明に係る装身具類の連結具の１例を示す雄部品の断面図。
（ｂ）同上の雄部品の下面図。
（ｃ）同じく雌部品の上面図。
（ｄ）同じく雌部品の断面図。
（ｅ）雄部品と雌部品の連結状態を示す説明図。
【図２】（ａ）例２に係る雄部品の部分断面図。
（ｂ）同上の雄部品の下面図。
（ｃ）同じく雌部品の上面図。
（ｄ）同じく雌部品の部分断面図。
【図３】（ａ）例３に係る雄部品の部分断面図。
（ｂ）同上の雄部品の下面図。
（ｃ）同じく雌部品の上面図。
（ｄ）同じく雌部品の部分断面図。
【図４】（ａ）例４に係る雄部品の部分断面図。
（ｂ）同上の雄部品の下面図。
（ｃ）同じく雌部品の上面図。
（ｄ）同じく雌部品の部分断面図。
【図５】本発明の連結具を適用した装身具であるネックレスの全体斜視図。
【符号の説明】
１０  装身具類の連結具
１１、３１、４１、５１  雄部品
１２  線状部材
１５、３９、４９、５９  頸部
１６、３３、４３、５７  頭部
１８、３５、４５、５５  磁石
２１、３２、４２、５２  雌部品
２６、３６、４６、５６  相手磁石
２５、３０、４０、５０  空所
【図１】
2004358067.tif 000003
【図２】
2004358067.tif 000004
【図３】
2004358067.tif 000005
【図４】
2004358067.tif 000006
【図５】
2004358067.tif 000007